(57)【特許請求の範囲】
【請求項１】
エアゾール式製品の作動モード設定用の操作ボタンに対する保護部材としてのカバー体をエアゾール容器に取り付けた状態で、当該エアゾール式製品の連続作動モードを設定する連続作動モード保持機構において、
前記保護部材としてのカバー体は、
前記連続作動モードの設定操作用の開口域を有して、前記エアゾール容器に取外し可能な形で取り付けられる筒状壁部と、
前記連続作動モードを保持するための単一の係合保持部および、前記操作ボタンの側面部分に対する駆動部を有し、かつ前記筒状壁部に続くヒンジ部を介して前記開口域に、当該係合保持部と当該ヒンジ部とが当該駆動部を挟んで相対する位置関係で、形成された回動式の連続作動モード設定操作部と、
前記係合保持部の選択的係合相手としての複数の係止部分が、前記筒状壁部の内周面側のみの異なる上下位置に、前記連続作動モードに移行する前の静止モードではそれぞれ当該係合保持部と係合せずに、かつ当該連続作動モードでは当該係止部分のいずれかが当該係合保持部と係合する態様で、形成された係止作用部と、を備え、
前記連続作動モード設定操作部は、
その操作対象部分として、前記駆動部と前記係合保持部との間に相当する上面部分を有し、
前記係止作用部は、
前記係合保持部と複数の前記係止部分との選択的係合状態が解除される筒状壁部外側方向に回動変位可能な起立片部からなっている、
ことを特徴とするエアゾール式製品用の連続作動モード保持機構。
【請求項２】
請求項１記載の連続作動モード保持機構を備え、かつ、噴射用ガスおよび内容物を収容した、
ことを特徴とするエアゾール式製品。
【請求項３】
作動モード設定用の操作ボタンを保護し、かつ、エアゾール容器に取り付けた状態でエアゾール式製品の連続作動モードを設定する機能を持つ、カバー体からなる操作ボタン保護部材において、
前記連続作動モードの設定操作用の開口域を有して、前記エアゾール容器に取外し可能な形で取り付けられる筒状壁部と、
前記連続作動モードを保持するための単一の係合保持部および前記操作ボタンの側面部分に対する駆動部を有し、かつ前記筒状壁部に続くヒンジ部を介して前記開口域に、当該係合保持部と当該ヒンジ部とが当該駆動部を挟んで相対する位置関係で、形成された回動式の連続作動モード設定操作部と、
前記係合保持部の選択的係合相手としての複数の係止部分が、前記筒状壁部の内周面側のみの異なる上下位置に、前記連続作動モードに移行する前の静止モードではそれぞれ当該係合保持部と係合せずに、かつ当該連続作動モードでは当該係止部分のいずれかが当該係合保持部と係合する態様で、形成された係止作用部と、を備え、
前記連続作動モード設定操作部は、
その操作対象部分として、前記駆動部と前記係合保持部との間に相当する上面部分を有し、
前記係止作用部は、
前記係合保持部と複数の前記係止部分との選択的係合状態が解除される筒状壁部外側方向に回動変位可能な起立片部からなっている、
ことを特徴とするエアゾール式製品用の操作ボタン保護部材。
【発明の詳細な説明】
【技術分野】
【０００１】
本発明は、エアゾール式製品を対象とした連続作動モード保持機構などに関し、特にエアゾール式製品をその静止モードまたは作動モードに設定する通常の操作ボタンを、それの保護部材（＝エアゾール容器のカバー体）に形成された操作部と係止部との間の保持作用により、その作動モード位置に簡単，確実に継続して保持できる、すなわちエアゾール式製品をガス抜き状態・内容物連続噴射状態の連続作動モードに設定できるようにしたものである。
【０００２】
本明細書では、
・「作動モード」の語を、エアゾール容器のバルブが開いて容器内部と外部空間とが連通した状態を示す意で用い、
・「連続作動モード」の語を、作動モードが継続的に保持される状態を示す意で用い、
・「静止モード」の語を、エアゾール容器のバルブが閉じて容器内部と外部空間とが連通していない状態を示す意で用い、
・「操作ボタン」の語を、作動モード設定用の操作部材を示す意で用い、
・「操作部」の語を、連続作動モード設定用の操作部材を示す意で用い、
・「カバー体」の語を、操作ボタンの上方を積極的に覆う天井部分がなく、エアゾール容器の使用に際しても容器本体に取り付けられたままのタイプの操作ボタン保護部材を示す意で用いる。
【０００３】
エアゾール容器を作動モードに設定するときの操作部材は通常の操作ボタンであり、当該容器を連続作動モードに設定して継続的に保持するときの操作部材は当該操作ボタンの保護部材（カバー体）に設けた操作部である。
【０００４】
この操作部により、容器内容物をまだ使い切っていない状態で連続作動モードが設定された場合には内容物のいわば連続放出モードとなり、容器内容物を略使い切った後で連続作動モードが設定された場合にはいわゆるガス抜きモードとなる。
【０００５】
この内容物連続噴射モードとガス抜きモードとはもっぱら用途上の違いにすぎず、エアゾール式製品の動作機構としては、当該各モードともにアクチュエータがその作動モード設定位置に継続的に保持されているものである。すなわち当該モードそれぞれにおけるバルブ機構などの動作メカニズムの違いはない。
【０００６】
また、容器内容物の放出孔の側を「前（先）」とし、当該放出孔とは反対側を「後」と表現している。すなわち図１および図２の左側が「前（先）」で、右側が「後」となる。
【０００７】
一般にガス抜きモードの設定は、使用済みエアゾール容器を廃棄するときに初めて必要となり、まだ容器内容物が存在している通常の使用段階では不要なものである。
【０００８】
そのため、ガス抜きモード保持機構は、エアゾール式製品の通常の使用段階では内容物噴射動作の障害とならず、また利用者にとっていわば目障りにもならず、そしてガス抜きモードの設定操作およびその解除操作を利用者が簡単に行えることが望ましく、本発明はこのような要請に応えるものである。
【０００９】
さらには、比較的長時間にわたってエアゾール式製品を連続使用する場合に、利用者が、作動モード設定の操作自体を継続的に行わなくても済み、また必要に応じてこの内容物連続噴射モードの解除操作を簡単に行えることが望ましく、本発明はこのような要請にも応えるものである。
【背景技術】
【００１０】
従来、使用済みエアゾール式製品のガス抜きを行う機構としては、
・ステムに取り付けた噴霧ヘッド（アクチュエータ）の上面の押圧操作部とは別の部分に、当該押圧操作部より高い部分からなる段部を形成し、
・噴霧ヘッドを覆って回動可能なヘッドカバー（カバー体）には、当該アクチュエータの段部に係合する垂直状の押し板（ガス抜きモード設定部材）を固定的に形成した、
ものが提案されている（例えば、特許文献１参照）。
【００１１】
このガス抜きモード保持機構の場合、ヘッドカバー（カバー体）の全体をエアゾール容器に対して回動操作することにより、当該ヘッドカバーの押し板（ガス抜きモード設定部材）で噴霧ヘッド（アクチュエータ）の段部を押下げ、かつその状態をガス抜きモードとして保持する。
【特許文献１】特開２００３−１６５５８８号公報
【発明の開示】
【発明が解決しようとする課題】
【００１２】
このような従来のガス抜きモード保持機構は、ヘッドカバー全体の回動操作にともなって、当該ヘッドカバーが噴霧ヘッド（アクチュエータ）の段部を押下げることを基本的構成にしている。
【００１３】
そのため、ヘッドカバーおよび噴霧ヘッドのそれぞれにガス抜きモード設定・保持動作用の部材（ヘッドカバーの押し板および噴霧ヘッドの段部）を新設しなければならず、ガス抜きモード保持機構の構成が複雑となりその製造にもコストがかかるという問題点があった。
【００１４】
また、利用者がエアゾール式製品をガス抜きモードに設定する場合、一方の手で容器を持って他方の手でヘッドカバーを回動させるといったように両方の手を使わなければならず、ガス抜きモード設定操作上の利便性に欠けるという問題点があった。
【００１５】
そこで、本発明では、エアゾール式製品における（作動モード設定用の）操作ボタンをその作動モード位置に継続して保持する（＝連続作動モードを設定する）ための操作部を、当該操作ボタンの保護部材であるカバー体に形成して、連続作動モード保持機構の構成の簡単化およびその製造コストの低減化を図ることを目的とする。
【００１６】
また、利用者がエアゾール式製品を持った方の手による当該操作部の片手操作だけで、操作ボタンをその作動モード位置へ移動させて保持できるようにして、連続作動モードの設定操作上の利便化を図ることを目的とする。
【００１７】
また、連続作動モード設定時の操作部を保持する係止部に複数の係止部分を形成し、当該操作部がこの係止部分のいずれかに継続的に保持されるようにして、連続作動モードを設定する上でのエアゾール式製品ごとのバラツキ、例えば操作部と操作ボタンとの間隔や、操作ボタンの静止モードから作動モードへの移動ストロークなどのバラツキが吸収され、連続作動モード設定の確実化を図ることを目的とする。
【課題を解決するための手段】
【００１８】
本発明は、以上の課題を次のようにして解決する。
（１）エアゾール式製品の作動モード設定用の操作ボタン（例えば後述の操作ボタン７）に対する保護部材としてのカバー体（例えば後述のカバー体５）をエアゾール容器に取り付けた状態で、当該エアゾール式製品の連続作動モードを設定する連続作動モード保持機構において、
前記保護部材としてのカバー体は、
前記連続作動モードの設定操作用の開口域（例えば後述の筒状壁部５ａの内部）を有して、前記エアゾール容器に取外し可能な形で取り付けられる筒状壁部（例えば後述の筒状壁部５ａ）と、
前記連続作動モードを保持するための単一の係合保持部（例えば後述の平坦操作面６ｃの後端部）および前記操作ボタンの側面部分に対する駆動部（例えば後述の半円形状凹部６ｄ）を有し、かつ前記筒状壁部に続くヒンジ部（例えば後述のヒンジ部分６ａ）を介して前記開口域に、当該係合保持部と当該ヒンジ部とが当該駆動部を挟んで相対する位置関係で、形成された回動式の連続作動モード設定操作部（例えば後述の操作部材６）と、
前記係合保持部の選択的係合相手としての複数の係止部分（例えば後述の係止部５ｇ）が、前記筒状壁部の内周面側のみの異なる上下位置に、前記連続作動モードに移行する前の静止モードではそれぞれ当該係合保持部と係合せずに、かつ当該連続作動モードでは当該係止部分のいずれかが当該係合保持部と係合する態様で、形成された係止作用部（例えば後述の係止用起立片５ｆ）と、を備え、
前記連続作動モード設定操作部は、
その操作対象部分として、前記駆動部と前記係合保持部との間に相当する上面部分（例えば後述の平坦操作面６ｃ）を有し、
前記係止作用部は、
前記係合保持部と複数の前記係止部分との選択的係合状態が解除される筒状壁部外側方向に回動変位可能な起立片部（例えば後述の係止用起立片５ｆ）からなっている。
（２）作動モード設定用の操作ボタン（例えば後述の操作ボタン７）を保護し、かつ、エアゾール容器に取り付けた状態でエアゾール式製品の連続作動モードを設定する機能を持つ、カバー体（例えば後述のカバー体５）からなる操作ボタン保護部材において、
前記連続作動モードの設定操作用の開口域（例えば後述の筒状壁部５ａの内部）を有して、前記エアゾール容器に取外し可能な形で取り付けられる筒状壁部（例えば後述の筒状壁部５ａ）と、
前記連続作動モードを保持するための単一の係合保持部（例えば後述の平坦操作面６ｃの後端部）および前記操作ボタンの側面部分に対する駆動部（例えば後述の半円形状凹部６ｄ）を有し、かつ前記筒状壁部に続くヒンジ部（例えば後述のヒンジ部分６ａ）を介して前記開口域に、当該係合保持部と当該ヒンジ部とが当該駆動部を挟んで相対する位置関係で、形成された回動式の連続作動モード設定操作部（例えば後述の操作部材６）と、
前記係合保持部の選択的係合相手としての複数の係止部分（例えば後述の係止部５ｇ）が、前記筒状壁部の内周面側のみの異なる上下位置に、前記連続作動モードに移行する前の静止モードではそれぞれ当該係合保持部と係合せずに、かつ当該連続作動モードでは当該係止部分のいずれかが当該係合保持部と係合する態様で、形成された係止作用部（例えば後述の係止用起立片５ｆ）と、を備え、
前記連続作動モード設定操作部は、
その操作対象部分として、前記駆動部と前記係合保持部との間に相当する上面部分（例えば後述の平坦操作面６ｃ）を有し、
前記係止作用部は、
前記係合保持部と複数の前記係止部分との選択的係合状態が解除される筒状壁部外側方向に回動変位可能な起立片部（例えば後述の係止用起立片５ｆ）からなっている。
【００１９】
このような構成からなるエアゾール式製品用の連続作動モード保持機構，操作ボタン保護部材および、当該保持機構を備えたエアゾール式製品を本発明の対象としている。
【発明の効果】
【００２０】
本発明は、このように、作動モード設定用の操作ボタンの保護部材であるカバー体に連続作動モード設定用の操作部を設け、この操作部に対する押圧操作により当該操作ボタンをその作動モード位置に継続的に保持している（＝ガス抜きモードまたは内容物連続噴射モードに保持している）ので、連続作動モード保持機構の構成の簡単化およびその製造コストの低減化を図ることができる。
【００２１】
また、利用者はエアゾール容器を持った方の片手でこの操作部を押圧して連続作動モードへと移行させ得るので、連続作動モード設定操作上の利便化を図ることができる。
【００２２】
また、連続作動モード設定時の操作部が複数の係止部分の１つに選択的に保持されるので、エアゾール式製品の操作ボタンやその保護部材，操作部などのサイズ，構造などにいくらかのバラツキが仮にあったとしても、当該操作部はこのバラツキをいわば吸収しながら最適な係止部分に保持されるので、連続作動モードの設定動作の最適化を図ることができる。
【００２３】
また、後述のように、操作部を保護部材（カバー体）に薄肉状のリブで連結して、利用者などが所定の操作力で当該リブを切断した場合に初めて当該操作部が移動可能となるので、例えばガス抜きのみを連続作動モードの対象とするような使用態様では、意に反した形の不用意なガス抜きモード設定の防止化を図ることができる。
【発明を実施するための最良の形態】
【００２４】
図１および図２を用いて本発明を実施するための最良の形態を説明する。
【００２５】
これまでも繰り返し述べたように、本発明はガス抜きモードや内容物連続噴射モードといった連続作動モードの保持機構に関するものである。そして、連続作動モード設定用の操作部（＝図示の操作部材）を、通常の作動モード設定用の操作ボタンとは別に設けている。
【００２６】
この連続作動モード保持機構がガス抜きモードまたは内容物連続噴射モードのどちらで使用されているかということは、いわば利用者の意識の違いにすぎず、当該連続作動モード保持機構の動作メカニズム自体はいずれのモードの使用状態でも同じである。
【００２７】
すなわちエアゾール式製品の噴射機構を通常の（操作ボタンによって設定される）作動モードに強制的に連続保持し、必要に応じてこれを解除できるようにしたものである。
【００２８】
例えば利用者がガス抜きをするつもりで連続作動モードに設定しても容器に内容物が十分残っていれば内容物の連続噴射状態になり、これに気付いた利用者は連続作動モードを解除することもできる。
【００２９】
以下、単なる説明の便宜上、ガス抜きモードの設定を前提とする。
【００３０】
この説明において、「ガス抜き」の用語を「内容物連続噴射」に置き換えても説明内容の妥当性が担保されるのは勿論である。
【００３１】
ここで、
図１は、連続作動モード保持機構であって、(a)は静止モードを、(b)は操作ボタンをその下動位置（＝作動モード対応位置）に保持した状態のガス抜きモードをそれぞれ示し、
図２は、図１のカバー体の下方斜視図を示している。
【００３２】
なお、図１(a)は、正確にいうと連続作動モード設定用の操作部材をまだ１度も使用していないとき、すなわち当該操作部材の移動側部分（被押圧操作側部分）が薄肉状のリブを介して操作ボタンの保護部材（カバー体）に連結されたままのいわば初期状態のとき、の静止モードを示している。
【００３３】
また、通常の操作ボタンを押圧した（連続作動モード設定用の操作部材は押圧されていない）ときの作動モードは図示していないが、この作動モードにおける当該操作部材のカバー体に対する位置関係は図１の静止モードのそれと同様である。
【００３４】
以下のアルファベット付き参照番号の構成要素（例えばアンダーカット１ａ）は原則として、当該参照番号の数字部分の構成要素（例えば容器本体１）の一部であることを示している。
【００３５】
図１および図２において、
１は後述の内容物および噴射用ガスを収納したエアゾール式製品の容器本体，
１ａは当該容器本体の外周面の一部であって後述のキャップ２を取り付ける際に用いる環状のアンダーカット，
５は容器本体１のアンダーカット１ａに取り外し可能な形で取り付けられるカバー体（いわゆるワンタッチキャップ），
５ａは当該カバー体の筒状壁部，
５ｂは当該筒状壁部の内周下端部分に間歇的に形成されてアンダーカット１ａと上記キャップ２よりも強く嵌合する環状の突部，
５ｃは当該カバー体の天井部，
５ｄは当該天井部から下方に延びる形の一対のガイド用垂下片，
５ｅは当該筒状壁部の前方開口域に形成された結合用テラス状部分，
５ｆは当該筒状壁部の低身長の後部分であってその基部側（下方部分）に対する回動変位が可能な係止用起立片，
５ｇは当該係止用起立片の内面側部分の周方向（筒状壁部５ａの周方向と同じ方向）に形成されて、後述の連続作動モード設定用の操作部材６を、その押下げ（曲がり）の程度が異なる位置にそれぞれ保持するためのラチエット状の係止部（三個），
５ｈは当該係止用起立片の変位動作を確保するための上下方向のスリット域，
６はカバー体５の結合用テラス状部分５ｅに押下げ（回動）可能な態様で一体成形された連続作動モード設定用の操作部材，
６ａは当該操作部材とテラス状部分５ｅとを連結するヒンジ部分，
６ｂは後述の操作ボタン７の上下動を許容するため当該操作部材の底面域に形成された方形開口部，
６ｃは当該方形開口部の後側にこれと略続く連続作動モード設定用の平坦操作面（＝当該操作部材の底面部分），
６ｄは当該方形開口部に続く側面部分のそれぞれに形成された一対の操作ボタン駆動用の半円形状凹部，
６ｅは当該操作部材の前面部分に形成された操作ボタン（孔部）用の大きな円形開口部，
６ｆは当該操作部材の各側面部分とカバー体５の各ガイド用垂下片５ｄとを間歇的に連結して、操作部材６がいわば不用意に連続作動モードへ移行することを防止するための薄肉状のリブ（ヴァージンシール），
７は周知のステム（図示省略）と連結して、内容物噴射用の作動モードを設定するための操作ボタン（アクチュエータ），
７ａは当該操作ボタンの前面部分に形成されて、容器本体１にカバー体５を取り付けた製品状態で操作部材６の円形開口部６ｅに対向する内容物噴射用の孔部，
７ｂは当該操作ボタンの側面部分のそれぞれに形成されて、同じく製品状態で操作部材６の半円形状凹部６ｄに入り込む逆Ｕ字状突出部，
７ｃは容器本体１の内容物や残留ガスの通路，
をそれぞれ示している。
【００３６】
ここで、カバー体５，操作部材６および操作ボタン７はポリプロピレン，ポリエチレン，ポリアセタール，ナイロン，ポリブチレンテレフタレートなどからなるプラスチック製のものであり、少なくともカバー体５の係止部５ｇは外力を受けることによりいくらか変形し、当該外力を受けなくなると元の形状に略復帰する。
【００３７】
また、係止用起立片５ｆの係止部５ｇはそれぞれ天井部５ｃに近いほうのスロープ状部分とこの（図示）下方に続く段部分（当該係止用垂下片に略垂直な面部分）とを有している。一方、連続作動モード設定用の操作部材６の平坦操作面６ｃの後端側は、図示のように、係止部５ｇのスロープ状部分に対応した形状の斜面部分となっている。
【００３８】
また、利用者などがカバー体５と一体に形成された操作部材６をまだ積極的に押圧していない状態（＝まだガス抜き連続作動モードが一度も設定されていない状態）では、当該操作部材がリブ６ｆを介してカバー体５に連結されている。
【００３９】
連続作動モード設定用の操作部材６は容器本体１に常時取り付けられたままのカバー体５に設けられている。
【００４０】
作動モード設定用の操作ボタン７は、ステム（図示省略）に取り付けられて、連続作動モード設定用の操作部材６の方形開口部６ｂおよびこれと略面一の平坦操作面６ｃから頭を出した状態になっている。また、噴射用の孔部７ａは操作部材６の円形開口部６ｅに対向している。操作ボタン７は平坦操作面６ｃよりも飛び出ているので、その作動モード設定操作に支障は何ら生じない。
【００４１】
なお、静止モードにおける操作ボタン７は、ステムを図示上方向に付勢するコイルスプリング（図示省略）などの作用により上動した状態、すなわち図１(a)の状態に位置している。
【００４２】
そして、利用者が図１(a)の静止モードの操作ボタン７を押圧すると、操作部材６は何ら変位せずに、当該操作ボタンおよびステム（図示省略）がそれに対する上方向への弾性力に抗して下動し、容器本体１の内部と外部空間とを連通させる周知のステム孔部（図示省略）が開いた通常の作動モードとなる。ここで、操作部材６の一対の側面部分は操作ボタン７のガイド作用を呈する。
【００４３】
なお、このとき操作ボタン７の噴射用の孔部７ａが操作部材６の円形開口部６ｅに対して下方に変位するものの、円形開口部６ｅは当該変位後の当該孔部に十分対向できるような形状に設定されているため、内容物は、操作部材６を設けてないときと同じように噴射される。
【００４４】
そして、図１(a)のエアゾール式製品の内容物を連続噴射したい場合や、当該エアゾール式製品を廃棄する前などに容器内の残留ガスを抜く場合には、連続作動モード設定用の操作部材６の平坦操作面６ｃを下方に強く押圧して当該カバー体との間のリブ６ｆをいわば切り裂けばよい。
【００４５】
この押圧に基づくリブ切断にともない、操作部材６は、そのヒンジ部分６ａを中心に時計方向Ａに回動（屈曲）しながら、その半円形状凹部６ｄで操作ボタン７の逆Ｕ字状突出部７ｂを押し下げ、また、その平坦操作面６ｃの後方端部はカバー体５の個々の係止部５ｇのスロープ状部分に乗り上げて係止用起立片５ｆを変位・復帰させて、図１(b)のガス抜きモード（＝連続作動モード）へと移行する。この回動に際して、カバー体５の一対のガイド用垂下片５ｄは操作部材６のガイド作用を呈する。
【００４６】
この移行により最終的には、操作部材６の平坦操作面６ｃが係止用起立片５ｆのラチエット状の複数係止部５ｇのいずれかと係合して安定的に保持される。
【００４７】
ここで複数の係止部５ｇを設けているのは、製品によって、半円形状凹部６ｄと逆Ｕ字状突出部７ｂとの間隔や、ステム自体の静止モードから作動モードへの移行ストロークなどにバラツキがあり、個々のカバー体５の操作部材６に対するガス抜きモード用の最適な回動状態を一意に決めることができないからである。
【００４８】
このように複数の係止部５ｇが形成されているので、エアゾール式製品の連続作動モードを設定しようとする利用者は、その操作部材６がどの回動位置で係止用起立片５ｆに係合保持されるかといったことなどを気にせずに、当該操作部材を、その停止感を得るまで押圧すればよい。
【００４９】
押圧されて下方に移動した操作部材６は、その回動位置に合致した（一つの）係止部５ｇに平坦操作面６ｃの後端側が係合して保持される。これにより操作ボタン７が作動モードと同じ位置状態となって、容器内部の内容物，残留ガスは、後述のようにステム内の周知の通路部（図示省略）や操作ボタンの孔部７ａを経て外部空間に噴射される。
【００５０】
このときの内容物，残留ガスは、概略、ステム孔部−ステム内通路−操作ボタン内の通路７ｃ−孔部７ａ−円形開口部６ｅを経て外部空間に噴射される。作動モードにおける噴射経路も同じである。
【００５１】
なお、操作部材６の連続作動モードを解除して静止モードに復帰させるには、カバー体５の係止用起立片５ｆを外側に変位させて当該係止用起立片の係止部５ｇと操作部材６の平坦操作面６ｃとの係合状態を解除すればよい。またはカバー体５を容器本体１から取り外してもよい。
【００５２】
この係合状態の解除などにより、操作部材６の下方向への押圧力から開放された操作ボタン７は上述のコイルスプリングなどのステム付勢力により上方向に復帰し、ステムの周知のバルブ機構が閉状態となって静止モードに移行する。
【００５３】
本発明が以上説明した内容に限定されないことは勿論であり、例えば、
(11) 操作部材６とカバー体５とを連結する薄肉状のリブ６ｆを省略する、
(12) ヒンジ部分６ａの剛性を強めて、リブ６ｆを切り裂いた後の静止モードにおける操作部材６をその初期状態（＝当該リブ６ｆでカバー体５と連結されているときの位置状態）にいわば自己保持する、
(13) この自己保持機能を備えたヒンジ部分６ａと連結用リブ６ｆとを併用する、
(14) いわゆるチルト式の操作ボタンにも適用する、
ようにしてもよい。
【００５４】
本発明が適用されるエアゾール式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５５】
容器本体に収納する内容物は、例えば、粉状物，油成分，アルコール類，界面活性剤，高分子化合物，各用途に応じた有効成分などである。
【００５６】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５７】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５８】
アルコール類としては、エタノールなどの１価の低級アルコール，ラウリルアルコールなどの１価の高級アルコール，エチレングリコールなどの多価アルコールなどを用いる。
【００５９】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６０】
高分子化合物としては、メチルセルロース，ゼラチン，デンプン，カゼインなどを用いる。
【００６１】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６２】
さらに、上記内容物以外の、懸濁剤，紫外線吸収剤，乳化剤，保湿剤，酸化防止剤、金属イオン封鎖剤なども用いることができる。
【００６３】
エアゾール式製品における内容物噴射用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００６４】
【図１】本発明の、連続作動モード保持機構であって、(a)は静止モードを、(b)は操作ボタンをその下動位置（＝作動モード対応位置）に保持した状態のガス抜きモードをそれぞれ示している。
【図２】本発明の、図１のカバー体の下方斜視図を示している。
【符号の説明】
【００６５】
１：エアゾール式製品の容器本体
１ａ：アンダーカット
５：カバー体
５ａ：筒状壁部
５ｂ：環状の突部
５ｃ：天井部
５ｄ：ガイド用垂下片
５ｅ：結合用テラス状部分
５ｆ：係止用起立片
５ｇ：ラチエット状の係止部（三個）
５ｈ：上下方向のスリット域
６：連続作動モード設定用の操作部材
６ａ：ヒンジ部分
６ｂ：方形開口部
６ｃ：連続作動モード設定用の平坦操作面
６ｄ：半円形状凹部
６ｅ：円形開口部
６ｆ：薄肉状のリブ
７：操作ボタン（アクチュエータ）
７ａ：孔部
７ｂ：逆Ｕ字状突出部
７ｃ：通路
【図１】
0004853858.tif 000002
【図２】
0004853858.tif 000003